(57)【要約】【課題】裏写りを良好に除去し、再現性を向上させることができるイメージスキャナ装置およびイメージスキャン方法を提供する。【解決手段】パターン部材としてのリッド２０あるいは裏当てシート１４１と、パターン部材を原稿がスキャンされる側とは反対側から当接させた状態で原稿のスキャンを行うセンサ部１３と、スキャンの結果から取得した第一観測パターンに対応する第一透過パターンの輝度を用いて閾値を設定し、スキャンの結果に対し、閾値以上の輝度を有する処理対象領域に対して裏写りを除去する処理を行う画像処理部４０とを備える。【選択図】図４
2015181218.tif 000002
【特許請求の範囲】
【請求項１】
原稿を載せる原稿台と、
観測パターンが描かれたパターン部材と、
前記パターン部材を前記原稿がスキャンされる側とは反対側から当該原稿に当接させた状態で前記原稿のスキャンを行うスキャン部と、
前記スキャンの結果から取得した前記観測パターンに対応する透過パターンの輝度を用いて閾値を設定し、前記スキャンの結果に対し、前記閾値以上の輝度を有する処理対象領域に対して裏写りを除去する処理を行う画像処理部とを備える、
イメージスキャナ装置。
【請求項２】
前記画像処理部は、前記透過パターンの輝度を前記閾値として設定する、
請求項１に記載のイメージスキャナ装置。
【請求項３】
前記パターン部材には、前記観測パターンとして、第一観測パターンと、前記第一観測パターンよりも濃度の低い第二観測パターンとが描かれ、
前記画像処理部は、前記スキャンの結果から取得した前記第二観測パターンに対応する第二透過パターンの輝度を用いて前記処理対象領域の輝度を補正する、
請求項１または２に記載のイメージスキャナ装置。
【請求項４】
前記画像処理部は、前記処理対象領域の輝度を前記第二透過パターンの輝度に変換する、
請求項３に記載のイメージスキャナ装置。
【請求項５】
前記画像処理部は、前記スキャンの結果から取得した前記第一観測パターンに対応する第一透過パターンの輝度と前記第二透過パターンの輝度の差が所定値以下である場合は、前記処理対象領域の輝度を補正しない、
請求項３または４に記載のイメージスキャナ装置。
【請求項６】
前記観測パターンは、前記パターン部材が前記原稿の角部を合わせるスキャン基準位置に対応する位置に配置された状態において、前記スキャン基準位置に対応する位置に描かれており、
前記スキャン部は、前記パターン部材が前記スキャン基準位置に対応する位置に配置された状態で、前記スキャンを行う、
請求項１〜５の何れか１項に記載のイメージスキャナ装置。
【請求項７】
さらに、
前記観測パターンを表す参照データをあらかじめ記憶している参照データ記憶部と、
前記参照データを用いて、前記スキャンの結果から得られるスキャン画像から前記透過パターンが含まれる特定領域を検出する検出部とを備え、
前記画像処理部は、前記検出部により検出された前記特定領域の輝度を用いて前記閾値を設定する、
請求項１に記載のイメージスキャナ装置。
【請求項８】
前記検出部は、前記特定領域の輝度が所定値よりも低い部分を、はみ出し部分として前記特定領域から除外し、
前記画像処理部は、前記はみ出し部分を前記スキャン画像から削除する、
請求項７に記載のイメージスキャナ装置。
【請求項９】
第一観測パターンが描かれたパターン部材を、原稿がスキャンされる側とは反対側から当該原稿に当接させた状態で前記原稿のスキャンを行うステップと、
前記スキャンの結果から前記第一観測パターンに対応する第一透過パターンの輝度を取得するステップと、
前記第一透過パターンの輝度を用いて閾値を設定するステップと、
前記スキャンの結果に対し、前記閾値以上の輝度を有する処理対象領域に対して裏写りを除去する処理を行うステップとを実行する、
イメージスキャン方法。
【請求項１０】
前記パターン部材には、さらに、前記第一観測パターンよりも濃度の低い第二観測パターンが描かれ、
さらに、
前記スキャンの結果から前記第二観測パターンに対応する第二透過パターンの輝度を取得するステップと、前記第一透過パターンの輝度と前記第二透過パターンの輝度の差が所定値以下であるか否かを判定するステップとを含み、
前記第一透過パターンの輝度と前記第二透過パターンの輝度の差が所定値以下である場合は、前記裏写りを除去する処理を行うステップを実行しない、
請求項９に記載のイメージスキャン方法。
【発明の詳細な説明】
【技術分野】
【０００１】
本発明は、イメージスキャナ装置およびイメージスキャン方法、特に、裏写りを除去する機能を備えたイメージスキャナ装置およびイメージスキャン方法に関する。
【背景技術】
【０００２】
複写機、スキャナ、あるいは、これらの機能を複数備えた複合機等は、原稿をスキャンするイメージスキャナ装置を備えている。
【０００３】
イメージスキャナ装置には、例えば、フラットベッド式のイメージスキャナ装置がある。フラットベッド式のイメージスキャナ装置は、一般的に、原稿を載せる原稿台と、原稿をスキャンするスキャン部とを備えた本体部と、スキャン時に原稿台および原稿を覆うリッド（蓋）とを備えている。スキャン部は、一般的に、筐体の内側から原稿に光を当てる光源と、原稿からの反射光を受光するセンサ部と、センサ部を移動させるセンサ駆動部とを備えている。リッドには、原稿を押さえるクッション材である押さえ部材が設けられている。フラットベッド式のイメージスキャナ装置では、原稿台上に固定された原稿を、センサ駆動部により撮像素子を移動させながらスキャンする。
【０００４】
イメージスキャナ装置では、画像の再現性の向上が求められている。
【先行技術文献】
【特許文献】
【０００５】
【特許文献１】特開平５−２２５７２号公報
【特許文献２】特開平９−１１６７５３号公報
【特許文献３】特開２００７−１３４９３１号公報
【発明の概要】
【発明が解決しようとする課題】
【０００６】
しかしながら、イメージスキャナ装置では、両面に画像が表された原稿をスキャンする場合、原稿の光の透過度によっては、スキャン対象の面（以下、適宜「表面」と称する）だけでなく、スキャン対象の裏側の面（以下、適宜「裏面」と称する）に表された画像が写り込む裏写りが発生する場合がある。原稿の光の透過度は、例えば、原稿用紙の素材によって決まる。裏写りが発生すると、画像の再現性が低下するという問題がある。
【０００７】
本発明は上述の課題を解決するためになされたものであり、裏写りを良好に除去し、再現性を向上させることができるイメージスキャナ装置およびイメージスキャン方法を提供することを目的とする。
【課題を解決するための手段】
【０００８】
上記目的を達成するために、本発明の一態様に係るイメージスキャナ装置は、原稿を載せる原稿台と、観測パターンが描かれたパターン部材と、前記パターン部材を前記原稿がスキャンされる側とは反対側から当該原稿に当接させた状態で前記原稿のスキャンを行うスキャン部と、前記スキャンの結果から取得した前記観測パターンに対応する透過パターンの輝度を用いて閾値を設定し、前記スキャンの結果に対し、前記閾値以上の輝度を有する処理対象領域に対して裏写りを除去する処理を行う画像処理部とを備える。
【０００９】
上記構成のイメージスキャナ装置は、原稿の光の透過度（透過率を含む）が大きく裏写りの度合いが大きい原稿については、閾値が自動的に小さく設定され、補正範囲が大きくなる。これにより、上記構成のイメージスキャナ装置では、裏写りが除去されない領域を小さくすることが可能になる。また、上記構成のイメージスキャナ装置は、原稿の光の透過度が小さく裏写りの度合いが小さい原稿については、閾値が自動的に大きく設定され、補正範囲が小さくなる。これにより、上記構成のイメージスキャナ装置では、画像の再現性が必要以上に低下するのを防止することが可能になる。
【００１０】
つまり、上記構成のイメージスキャナ装置は、裏写りの除去が良好に行えるという効果と、画像の再現性が必要以上に低下するのを防止するという効果の両方を実現することができる。また、上記構成のイメージスキャナ装置では、透過率を算出するという複雑な演算を必要とすることなく、簡単な処理で実現できる。このため、イメージスキャナ装置の処理負荷を軽減することが可能になる。
【００１１】
また、前記画像処理部は、前記透過パターンの輝度を前記閾値として設定しても良い。
【００１２】
上記構成のイメージスキャナ装置は、観測パターンの輝度を閾値として設定するため、当該閾値を適切に設定できる。特に、観測パターンが黒色のパターンである場合は、透過パターンの輝度は、最も濃い裏写りが生じた領域の輝度に対応する。このため、観測パターンが黒色のパターンである場合は、特に、透過パターンの輝度を閾値として設定することで、全ての裏写りを除去することが可能になる。
【００１３】
また、前記パターン部材には、前記観測パターンとして、第一観測パターンと、前記第一観測パターンよりも濃度の低い第二観測パターンとが描かれ、前記画像処理部は、前記スキャンの結果から取得した前記第二観測パターンに対応する第二透過パターンの輝度を用いて前記処理対象領域の輝度を補正しても良い。
【００１４】
上記構成のイメージスキャナ装置は、第一透過パターンの輝度を用いて処理の範囲（処理対象領域）を設定し、第二透過パターンの輝度から裏写りが生じた裏写り領域の変換先の輝度を設定する。これにより、上記構成のイメージスキャナ装置では、処理対象領域の輝度を適切に補正することが可能になる。
【００１５】
また、前記画像処理部は、前記処理対象領域の輝度を前記第二透過パターンの輝度に変換しても良い。
【００１６】
上記構成のイメージスキャナ装置は、第二透過パターンの輝度を用いるため、処理対象領域の輝度を適切に変換できる。特に、第二観測パターンが白色のパターンである場合は、第二透過パターンの輝度は、原稿の地色の輝度に対応する。つまり、第二観測パターンが白色のパターンである場合は、処理対象領域の輝度を原稿の地色に対応する輝度に変換することが可能になる。
【００１７】
また、前記画像処理部は、前記スキャンの結果から取得した前記第一観測パターンに対応する第一透過パターンの輝度と前記第二透過パターンの輝度の差が所定値以下である場合は、前記処理対象領域の輝度を補正しなくても良い。
【００１８】
第一透過パターンの輝度と第二透過パターンの輝度との差（以下、「輝度差」と称する）が所定値以下である場合は、裏写りがほとんど発生しない原稿であると判定できる。この場合は、処理対象領域の輝度を補正しないように構成することにより、画像の再現性が損なわれるのを防止することができる。また、不必要な補正を行わないことにより、イメージスキャナ装置の処理負荷を軽減することが可能になる。
【００１９】
また、前記観測パターンは、前記パターン部材が前記原稿の角部を合わせるスキャン基準位置に対応する位置に配置された状態において、前記スキャン基準位置に対応する位置に描かれており、前記スキャン部は、前記パターン部材が前記スキャン基準位置に対応する位置に配置された状態で、前記スキャンを行っても良い。
【００２０】
スキャン基準位置は、原稿上に画像が形成されていない可能性の高い領域である。上記構成のイメージスキャナ装置は、観測パターンがスキャン基準位置に対応する位置に描かれているため、良好な透過パターンを取得することが可能になる。
【００２１】
また、さらに、前記観測パターンを表す参照データをあらかじめ記憶している参照データ記憶部と、前記参照データを用いて、前記スキャンの結果から得られるスキャン画像から前記透過パターンが含まれる特定領域を検出する検出部とを備え、前記画像処理部は、前記検出部により検出された前記特定領域の輝度を用いて前記閾値を設定しても良い。
【００２２】
本態様によれば、前記対象原稿を、前記裏当てシートが重ねられた状態でスキャンすることによって、裏写りを除去するための参照パターンをスキャン画像に重畳することができるので、参照パターンを対象原稿に表わされた画像に応じて変更することが可能になる。
【００２３】
その結果、前記イメージスキャナ装置のデザイン性や製品展開の適応性に関する制限が緩和され、裏写りを除去するために適したイメージスキャナ装置が得られる。
【００２４】
また、前記検出部は、前記特定領域の輝度が所定値よりも低い部分を、はみ出し部分として前記特定領域から除外し、前記画像処理部は、前記はみ出し部分を前記スキャン画像から削除しても良い。
【００２５】
本態様によれば、前記裏当てシートが前記対象原稿よりも大きい場合の裏写り除去処理において、前記裏当てシートが前記対象原稿からはみ出すはみ出し部分を適切に処理することができる。
【００２６】
なお、本発明は、このような特徴的な処理部を備えるイメージスキャナ装置として実現することができるだけでなく、イメージスキャナ装置に含まれる特徴的な処理部が実行する処理をステップとするイメージスキャン方法として実現することができる。また、イメージスキャナ装置に含まれる特徴的な処理部としてコンピュータを機能させるためのプログラムまたはイメージスキャン方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体あるいはインターネット等の通信ネットワークを介して流通させることができるのは、言うまでもない。
【発明の効果】
【００２７】
本発明によると、再現性を向上させつつ、裏写りを良好に除去することができるイメージスキャナ装置およびイメージスキャン方法を提供することができる。
【図面の簡単な説明】
【００２８】
【図１】図１は、実施の形態のイメージスキャナ装置を備えた複合機の一例を示す外観図である。
【図２】図２は、実施の形態のイメージスキャナ装置を構成する画像処理部の構成の一例を示すブロック図である。
【図３】図３は、第一観測パターンの構成の一例を示す図である。
【図４】図４は、実施の形態の裏写り除去処理の処理手順の一例を示すフローチャートである。
【図５】図５は、実施の形態の原稿に表わされた画像の一例を示す図である。
【図６】図６は、実施の形態の裏写り除去処理の前後のプレビュー画像の一例を示す図である。
【図７】図７は、実施の形態の裏写り除去処理の前後のプレビュー画像の一例を示す図である。
【図８】図８は、裏写りが生じない原稿のプレビュー画像の一例を示す図である。
【図９】図９は、従来の裏写り除去処理の前後のプレビュー画像の一例を示す図である。
【図１０】図１０は、従来の裏写り除去処理の前後のプレビュー画像の一例を示す図である。
【図１１】図１１は、実施の形態２に係る複合機の外観の一例を示す斜視図である。
【図１２】図１２は、スキャンされる対象原稿の一例を示す図である。
【図１３】図１３は、実施の形態２に係る裏当てシートの一例を示す図である。
【図１４】図１４は、実施の形態２に係る複合機の機能的な構成の一例を示すブロック図である。
【図１５】図１５は、実施の形態２に係るイメージスキャナ装置の動作の一例を示すフローチャートである。
【図１６】図１６は、実施の形態２で取得されるスキャン画像の一例を示す図である。
【図１７】図１７は、実施の形態２で裏写りが除去された補正スキャン画像の一例を示す図である。
【図１８】図１８は、実施の形態３に係るイメージスキャナ装置の動作の一例を示すフローチャートである。
【図１９】図１９は、実施の形態３で取得されるスキャン画像の一例を示す図である。
【図２０】図２０は、実施の形態３で裏写りおよびはみ出し部分が除去されたスキャン画像の一例を示す図である。
【図２１】図２１は、閾値と輝度との関係の一例を示す図である。
【図２２】図２２は、閾値と輝度との関係の一例を示す図である。
【発明を実施するための形態】
【００２９】
（課題の詳細）
裏写りを低減する方法としては、例えば、リッドに設けられた押え部材の色を、黒色または黒色に近い色に設定する方法が考えられる（比較例１）。この方法では、原稿の裏面に表された画像を、押え部材に表された黒色の画像に紛れ込ませる。これにより、裏写り領域が目立たなくなり、画像の再現性を向上させることができる。
【００３０】
しかし、押え部材の色を一般的な白色ではない色に変更すると、再現画像の品質を保証することが困難になる。
【００３１】
裏写りを除去する他の方法としては、例えば、原稿のスキャン後、スキャン結果に対し、裏写りを除去するための裏写り除去処理を行う方法が考えられる（比較例２）。
【００３２】
この方法では、裏写りが生じた裏写り領域は一般的に輝度が高い（白色に近い）ことを利用し、輝度が所定の閾値以上である領域を裏写り領域であると判定する。そして、裏写り領域は本来白色であることから、裏写り領域であると判定された領域の輝度を、白色の輝度に変換する。当該方法を用いることで、ある程度は裏写りを除去することができる。また、押え部材の色を変更しないため、品質を保証することが可能になる。
【００３３】
しかしながら、比較例２では、原稿の光の透過度にかかわらず、裏写り除去処理を行うための閾値は固定されている。原稿の光の透過度は一定ではないため、光の透過度が大きい原稿の場合は、裏写り領域の色が全体的に濃く（輝度が全体的に低く）なり、裏写りが十分に除去できないという問題がある。逆に、光の透過度が小さい原稿の場合には、裏写り領域ではない領域まで、輝度が白色の輝度に変換される場合がある。この場合には、輝度が高い領域の再現性が損なわれるという問題がある。
【００３４】
これに対し、裏写り除去処理において再現性を向上させる方法として、両面をスキャンし、裏面のスキャン結果を用いて、表面の裏写りを除去する方法が提案されている（例えば、特許文献１参照）。
【００３５】
特許文献１に記載のイメージスキャナ装置では、裏面のスキャン結果を用いるため、裏写り領域およびその輝度を良好に求めることができ、再現性を向上させることができる。
【００３６】
しかしながら、特許文献１のイメージスキャナ装置では、両面をスキャンする必要があるため、両面をスキャンする機能を備えないイメージスキャナ装置では、自動的には対応できないという問題がある。両面をスキャンする機能を備えないイメージスキャナ装置において当該構成を適用するためには、例えば、ユーザが原稿を裏返す等の手間が必要となる上に、原稿の位置ずれにより、適切に裏写り領域を特定できない場合があるという問題がある。
【００３７】
例えば、特許文献２には、原稿搬送ローラに付した基準マークから原稿媒体の光透過率を求め、当該基準マークの画像データを原稿の画像データから減算するとともに、原稿の画像データを下地レベルに変換することが記載されている。
【００３８】
また、例えば、特許文献３には、プラテン押え板の、画像読み取り可能領域でかつ画像再現不可領域に配置したパッチ片を用いて原稿の光透過率を求め、求めた光透過率に応じた画像処理を、スキャン画像に対して行うことが記載されている。
【００３９】
しかしながら、特許文献２および３では、基準マークや裏写りをスキャン画像から除去するために、原稿媒体の光透過率を正確に求める必要があるという問題がある。
【００４０】
以下、本発明の実施の形態について、図面を用いて詳細に説明する。なお、各図は、必ずしも各寸法あるいは各寸法比等を厳密に図示したものではない。
【００４１】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００４２】
（実施の形態）
実施の形態１のイメージスキャナ装置について、図１〜図８を基に説明する。
【００４３】
本実施の形態のイメージスキャナ装置は、複合機に設けられたフラットベッド式のイメージスキャナ装置である場合を例に説明する。複合機は、本実施の形態のイメージスキャナ装置により実現されるスキャン機能に加え、プリンタ機能およびＦＡＸ機能等を備えている。なお、本実施の形態では、プリンタ機能およびＦＡＸ機能等については、説明を省略する。
【００４４】
本実施の形態のイメージスキャナ装置は、裏写りを除去する裏写り除去処理において、原稿の光の透過度を観測した結果に応じて、適応的に、裏写り除去処理を行う範囲を規定するための閾値を設定するように構成されている。光の透過度の観測は、観測パターンが描かれたパターン部材を裏面に当接させた状態で、原稿をスキャンすることにより行う。
【００４５】
なお、本実施の形態では、パターン部材がリッド２０（蓋部）である場合を例に説明する。
【００４６】
なお、原稿とは、スキャンの対象物であり、リッドを閉めた状態でスキャンすることが可能な物を指す。原稿には、例えば、紙、フィルム、冊子あるいは本（但し、リッドを閉めた状態でスキャン可能な物）等を含む。
【００４７】
［１−１．イメージスキャナ装置の構成］
図１は、本実施の形態のイメージスキャナ装置を備えた複合機１Ａの一例を示す外観図である。
【００４８】
図１に示すように、複合機１Ａは、本体部１０と、リッド２０と、ヒンジ３０とを備えている。本体部１０とリッド２０とは、ヒンジ３０により接続されている。
【００４９】
本体部１０は、ガラス台１１と、イメージスキャナ機構（センサ部１３を含む機構）と、制御部とを備えている。
【００５０】
ガラス台１１は、原稿を載せる原稿台の一例であり、本体部１０の筐体の上面に設けられた矩形状の開口を覆うように構成されている。また、筐体の上面には、ガラス台１１の上辺（奥側の辺）、および、左辺（図面左側の辺）に隣接して、原稿をセットする位置を示すガイド部１２が設けられている。ガイド部１２は、例えば、筐体正面に上面に記載された図形であり、当該図形は、位置を示す線および「Ａ４」あるいは「Ｂ５」等の文字を含んでいる。なお、本実施の形態において、原稿をセットするとは、原稿をガラス台１１に載せ、且つ、スキャンするための位置に原稿を位置決めした状態を示す。また、以下の説明では、ガラス台１１の左上を、原稿をセットするときの標準的な位置を示すスキャン基準位置とする。スキャン基準位置の座標（ｘ、ｙ）は、ここでは、（０、０）である。
【００５１】
イメージスキャナ機構は、原稿のスキャンを行うスキャン部の一例であり、筐体の内側から原稿に光を当てる光源（図示せず）と、原稿からの反射光を受光する撮像素子を備えたセンサ部１３と、センサ部１３をＹ軸方向に移動させるセンサ駆動部（図示せず）とを備えている。イメージスキャナ機構は、スキャン時には、ガラス台１１上に固定された原稿に対して光源を用いて光を照射し、センサ部１３を左端に設定された待機位置から右側に向けて移動させながら、センサ部１３の撮像素子に原稿からの反射光を受光させる。センサ部１３は、受光した反射光の強度に応じた信号を出力する。
【００５２】
リッド２０は、蓋部の一例である。リッド２０は、閉状態のときに、原稿の裏面に接して原稿をガラス台１１に押し付ける押え部材２１を備えている。
【００５３】
押え部材２１は、例えば、平板状のクッション部材である。押え部材２１の面積は、ガラス台１１の面積と同じか、ガラス台１１の面積よりもある程度大きく設定されている。また、押え部材２１には、閉状態で原稿の裏面に接する部分に観測パターン２５が描かれ
ている。観測パターン２５は、裏写りの度合いを観測するためのパターンである。観測パターン２５の詳細については、後述する。
【００５４】
制御部は、イメージスキャナ機構等、イメージスキャナ装置を構成する各部の動作の制御を行う。制御部は、裏写りを除去する処理を行う画像処理部（図１では不図示、図２参照）を備えている。
【００５５】
図２は、画像処理部４０の構成の一例を示すブロック図である。図２に示すように、画像処理部４０は、スキャン結果取得部４１と、プレビュー画像生成部４２と、輝度取得部４３と、閾値設定部４４と、変換値設定部４５と、画像補正部４６と、再現画像出力部４７とを備えている。各部の詳細については、動作の欄で記載する。
【００５６】
なお、制御部は、本実施の形態では、ＬＳＩ（Ｌａｒｇｅ  Ｓｃａｌｅ  Ｉｎｔｅｇｒａｔｉｏｎ：大規模集積回路）を用いて構成されている場合を例に説明するが、これに限るものではない。例えば、本実施の形態の裏写り除去方法を実行するコンピュータプログラム（ソフトウェア）を、ＣＰＵ（Ｃｅｎｔｒａｌ  Ｐｒｏｃｅｓｓｉｎｇ  Ｕｎｉｔ）が実行することにより実現されても構わない。
【００５７】
ヒンジ３０は、上述したように、本体部１０とリッド２０とを接続している部材であり、リッド２０を本体部１０との間の角度が所定の角度になる姿勢で、例えば、４６度、６０度等の姿勢で保持できるように構成されている。
【００５８】
［１−２．観測パターンの構成］
観測パターン２５について、図３を基に説明する。観測パターン２５は、上述したように、裏写りの度合いを観測するためのパターンである。観測パターン２５をスキャンした結果から取得される透過パターンの濃度（輝度）から、裏写りの度合いを求めることができる。
【００５９】
図３は、観測パターン２５の構成の一例を示す図である。図３では、リッド２０が閉状態である場合において、筐体の内側から見たときの観測パターン２５を示している。なお、図３では、図面右上のＰ１０の座標を（０、０）としている。座標（０、０）は、上述したように、図１において、ユーザがＡ４あるいはＢ５等の規定サイズの原稿をガラス台１１上にセットする際に、原稿の角部を合わせるスキャン基準位置である。図１では、ガラス台１１の左上の角に対応する。
【００６０】
観測パターン２５は、２つの第一観測パターン２５ｂおよび第二観測パターン２５ｗで構成されている。なお、図３では、説明のために第一観測パターン２５ｂおよび第二観測パターン２５ｗとガラス台１１との間に隙間を設けているが、実際には隙間はない方が好ましい。
【００６１】
第一観測パターン２５ｂは、第一観測パターン２５ｂを構成する全ての領域が同一の色および輝度を持つパターンである。第一観測パターン２５ｂは、比較的濃度の高いパターンである。第一観測パターン２５ｂは、本実施の形態では、処理対象領域を設定するための閾値を求めるために描かれているパターンであることから、黒色のパターンである。なお、第一観測パターン２５ｂは、黒色のパターンに限られるものではなく、第二観測パターン２５ｗよりも濃度の高いパターンであればよい。
【００６２】
第一観測パターン２５ｂが黒色のパターンである場合、最も濃度の濃いパターンであることから、当該第一観測パターン２５ｂに対応する透過パターンの濃度は、裏写りの中で、最も濃い濃度になる。このため、第一観測パターン２５ｂを黒色のパターンにすれば、当該第一観測パターン２５ｂに対応する透過パターンの輝度をそのまま閾値として利用することが可能になる。
【００６３】
第二観測パターン２５ｗは、第二観測パターン２５ｗを構成する全ての領域が同一の色および輝度を持つパターンである。第二観測パターン２５ｗは、第一観測パターン２５ｂよりも濃度の低いパターンである。本実施の形態では、第二観測パターン２５ｗは、処理対象領域の変換先の輝度、言い換えると、原稿の地色の輝度を取得するために描かれているパターンであることから、白色のパターンである。なお、第二観測パターン２５ｗは、白色のパターンに限られるものではなく、第一観測パターン２５ｂよりも濃度の低いパターンであればよい。
【００６４】
第一観測パターン２５ｂおよび第二観測パターン２５ｗの形状は、本実施の形態では、正方形である。
【００６５】
第一観測パターン２５ｂおよび第二観測パターン２５ｗの大きさ（一辺の長さ）は、本実施の形態ではプレビュー画像（スキャンの結果の一例）に対して裏写り除去処理を行うため、１画素の大きさに、イメージスキャナ機構の誤差を加えた大きさに設定する。イメージスキャナ機構の誤差は、装置全体の構成等に応じて決まる。
【００６６】
第一観測パターン２５ｂの位置は、第一観測パターン２５ｂの頂点Ｐ１０が、スキャン基準位置である座標（０、０）に重なるように設定されている。つまり、第一観測パターン２５ｂは、スキャン基準位置を含む領域に配置されている。なお、第一観測パターン２５ｂの頂点Ｐ１１、Ｐ１２、Ｐ１３の座標は、それぞれ、（ｘｂ、０）、（ｘｂ、ｙｂ）、（０、ｙｂ）である。
【００６７】
第二観測パターン２５ｗの位置は、第一観測パターン２５ｂに隣接するように設定されている。本実施の形態では、頂点Ｐ２０が第一観測パターン２５ｂの頂点Ｐ１１（座標（ｘｂ、０））に重なるように、頂点Ｐ２３が第一観測パターン２５ｂの頂点Ｐ１２（座標（ｘｂ、ｙｂ））と重なるように配置されている。なお、第二観測パターン２５ｗの頂点Ｐ２１、Ｐ２２の座標は、それぞれ、（ｘｗ、０）、（ｘｗ、ｙｗ）である。
【００６８】
また、一般的に、原稿の上下左右には、画像が表されていない余白領域がある。この余白領域は、一般的に、相当狭く、ページ等が表されるヘッダおよびフッター等の領域よりも更に外側に位置する。一般的に、スキャン基準位置を含む余白領域には、何も表されていない可能性が高い、つまり、地色のままである可能性が高い。この余白領域に観測パターン２５を配置することで、観測パターン２５について良好な観測結果を得ることが可能になる。
【００６９】
［１−３．裏写り除去の手順］
裏写り除去処理の処理手順について、図４〜図８を用いて説明する。
【００７０】
本実施形態では、説明のため、輝度の範囲が、０〜２５５である場合を例に説明する。また、原稿には地色があるため、白色の領域のスキャン結果は、輝度が２５５ではなく、２５０になる場合を例に説明する。
【００７１】
図４は、裏写り除去処理の処理手順の一例を示すフローチャートである。
【００７２】
画像処理部４０は、原稿がセットされ、スキャンの開始要求を受け付けると、イメージスキャナ機構を制御して、センサ部１３に原稿のスキャンを行わせる。
【００７３】
図５は、本実施の形態で用いる原稿に表わされた画像の一例を示す図である。図５の（ａ）は、原稿の表面（スキャン対象の画像）を示しており、図５の（ｂ）は、原稿の裏面を示している。図５の（ａ）に示す原稿の表面には、パターン２４ａを含む画像Ｇ０１が表わされている。また、図５の（ｂ）に示す原稿の裏面には、黒色に近いパターン２４ｂと、パターン２４ｂよりは濃度の低い（輝度値の高い）パターン２４ｃを含む画像Ｇ０２が表わされている。本実施の形態では、原稿の表面がスキャン基準位置にセットされた状態で、当該原稿のスキャンが行われた場合について説明する。
【００７４】
スキャン結果取得部４１は、センサ部１３から出力される信号をスキャン結果として受け付ける。プレビュー画像生成部４２は、スキャン結果取得部４１が受け付けた信号から、プレビュー画像を生成する（Ｓ１１）。
【００７５】
図６は、裏写りの度合いが比較的大きい原稿の裏写り除去処理の前後のプレビュー画像の一例を示す図である。図６の（ａ）は裏写り除去処理前のプレビュー画像Ｇ１１を、図６の（ｂ）は裏写り除去処理後のプレビュー画像Ｇ１２をそれぞれ示している。
【００７６】
図７は、裏写りの度合いが比較的小さい原稿の裏写り除去処理の前後のプレビュー画像の一例を示す図である。図７の（ａ）は裏写り除去処理前のプレビュー画像Ｇ２１を、図７の（ｂ）は裏写り除去処理後のプレビュー画像Ｇ２２をそれぞれ示している。
【００７７】
図８は、裏写りが生じない原稿のプレビュー画像Ｇ３１の一例を示す図である。図８に示すプレビュー画像Ｇ３１は、ほぼ、図５の（ａ）に示す画像Ｇ０１と同じになる。
【００７８】
なお、図６〜図８では、説明のため、第一透過パターンおよび第二透過パターンを大きく記載しているが、実際には、余白部分に収まる程度の大きさである。
【００７９】
図６において、画像２６ａは原稿の表面に表されたスキャン対象画像であり、画像２６ｃおよび２６ｄは裏面に表された裏写り画像である。図７において、画像２７ａは原稿の表面に表されたスキャン対象画像であり、画像２７ｃは裏面に表された裏写り画像である。図７では、光の透過度が低い原稿であるため、図６の画像２６ｄに対応する画像は裏写りせず、再現されていない。図８において、画像２８ａは原稿の表面に表されたスキャン対象画像である。図８は、裏写りしない原稿であるため、図６の画像２６ｃおよび２６ｄに対応する画像は再現されていない。図６〜図８において、画像近傍に付した数値は、当該画像の輝度を示している。なお、図６〜図８では、輝度は、０〜２５５で表され、０は所謂黒を示す値であり、２５５は所謂白を示す値である。
【００８０】
輝度取得部４３は、プレビュー画像生成部４２により生成されたプレビュー画像から、第一観測パターン２５ｂの第一透過パターンの輝度と、第二観測パターン２５ｗの第二透過パターン輝度とを測定する（Ｓ１２）。
【００８１】
輝度取得部４３は、先ず、予め記憶された観測パターン２５の参照データを取得する。なお、参照データは、例えば、観測パターンを構成する第一観測パターン２５ｂおよび第二観測パターン２５ｗの位置および形状、大きさ、輝度値等を示すデータである。参照データに含まれる第一観測パターンおよび第二観測パターンの形状および大きさ、第一観測パターンの輝度値と第二観測パターンの輝度値との関係は、透過パターンでも維持されると考えられる。また、第一透過パターンおよび第二透過パターンが現れる位置は、本実施の形態では観測パターンがリッド２０に形成されているため、容易に推定できる。
【００８２】
輝度取得部４３は、参照データとプレビュー画像とを比較することにより、プレビュー画像から第一観測パターンと第二透過パターンとを抽出する。
【００８３】
さらに、輝度取得部４３は、抽出した第一透過パターンの輝度および第二透過パターンの輝度を取得する。第一透過パターンの輝度および第二透過パターンの輝度は、本実施の形態では、平均値とする。なお、第一透過パターンの輝度および第二透過パターンの輝度は、最頻値あるいはメディアン値等、他の値であっても構わない。
【００８４】
図６の場合、第一透過パターン２６ｂの輝度は２００、第二透過パターン２６ｗの輝度は２５０である。図７の場合、第一透過パターン２７ｂの輝度は２２０、第二透過パターン２７ｗの輝度は２５０である。図８の場合、第一透過パターン２８ｂおよび第二透過パターン２８ｗの輝度は２５０である。
【００８５】
画像処理部４０は、第一透過パターンの輝度と第二透過パターンの輝度との輝度差を求め、当該輝度差が所定値以上であるか否かを判定する（Ｓ１３）。
【００８６】
図６の場合の輝度差は５０、図７の場合の輝度差は３０、図８の場合の輝度差は０である。
【００８７】
画像処理部４０は、輝度差が所定値以上ではない場合（Ｓ１３のＮＯ）、裏写りしない原稿であると考えられることから、裏写り除去処理を終了する。
【００８８】
ここで、本実施の形態では、所定値は、例えば、２０に設定される。なお、所定値の設定は、複合機１Ａの構成あるいはスキャンの対象となる対象物の種類等に応じて適切に設定する。図８の場合は、輝度差が０であり、所定値よりも小さいため、補正を行わずに、裏写り除去処理を終了する。
【００８９】
画像処理部４０は、輝度差が所定値以上である場合（Ｓ１３のＹＥＳ）、裏写りする原稿であると考えられることから、裏写り除去処理を続行する。ここで、図６および図７の場合は、輝度差が所定値以上であるため、裏写り除去処理が続行される。
【００９０】
閾値設定部４４は、第一透過パターンの輝度を用いて閾値を求める（Ｓ１４）。当該閾値は、裏写り領域であるか否かを判定するための閾値である。
【００９１】
本実施の形態では、対応する第一観測パターン２５ｂが黒色のパターンであることから、第一透過パターンの輝度の最小値をそのまま閾値として設定する。第一観測パターン２５ｂが黒色のパターンである場合、第一透過パターンの最も濃い領域の輝度が、裏写り領域の濃度の最大値（輝度の最小値）となる。言い換えると、スキャン画像のどの位置に裏写りが生じても、当該裏写り領域の濃度は、第一透過パターンの濃度の最大値よりも大きくなることはないと考えられる。このため、第一観測パターンが黒色のパターンである場合、第一透過パターンの輝度の最小値（濃度の最大値）をそのまま閾値として設定できる。なお、第一観測パターンが黒色のパターンではない場合であっても、閾値の値は、濃度が最も濃い裏写り領域の輝度、つまり、裏写り領域の輝度の最小値を考慮して設定すればよい。観測パターンの輝度から、裏写り領域の輝度の最小値を推定するように構成しても構わない。裏写り領域の輝度の最小値は、原稿の光の透過度によって異なる。
【００９２】
本実施の形態では、上述したように、第一観測パターン２５ｂは、黒色のパターンであるため、裏写り画像の中で最も色の濃いパターンとなる。つまり、第一観測パターン２５ｂが裏写りしたパターンである第一透過パターンの輝度は、濃度が最も濃い裏写り領域の輝度となる。従って、観測パターン２５の裏写りパターンの輝度を閾値に設定する。
【００９３】
例えば、図６では、第一透過パターン２６ｂの輝度２００を閾値として設定し、図７では、第一透過パターン２７ｂの輝度２２０を閾値として設定する。
【００９４】
図２１および図２２は、本実施の形態における閾値の変化と除去される画像の輝度値との関係を示す図である。図２１は、図６に示すように、裏写りの度合いが比較的大きい原稿の場合に設定される閾値を示している。図２２は、図７に示すように、裏写りの度合いが比較的小さい原稿の場合に設定される閾値を示している。
【００９５】
変換値設定部４５は、裏写り領域の変換先の輝度である変換値を設定する（Ｓ１５）。ここで、本実施の形態では、変換値設定部４５は、白色に対応する輝度を変換値として設定する。つまり、本実施の形態では、変換値設定部４５は、白色のパターンである第二観測パターン２５ｗのスキャン結果である第二透過パターンの輝度を、変換値として設定する。図６では、第二透過パターン２６ｗの輝度２５０を閾値として設定し、図７では、第二透過パターン２７ｗの輝度２５０を閾値として設定する。
【００９６】
画像補正部４６は、閾値以上の輝度を有する領域の輝度を、変換値に置き換える（Ｓ１６）。
【００９７】
図６の場合、上述したように、閾値は２００、変換値は２５０である。このため、図２１の（ｂ）に示すように、輝度値２００以上の画像は、変換値２５０に置き換えられる。より詳細には、図６において、裏写り画像である画像２６ｃの輝度は２００、画像２６ｄの輝度は２４０である。画像２６ｃおよび２６ｄの輝度は、閾値２００以上であるため、変換値２５０に置き換えられる。図６の（ｂ）は、処理対象領域の輝度を置き換えた後のプレビュー画像Ｇ１２を示している。図６の（ｂ）では、画像２６ｃおよび２６ｄは除去されている。
【００９８】
図７の場合、上述したように、閾値は２２０、変換値は２５０である。このため、図２２の（ｂ）に示すように、輝度値２２０以上の画像は、変換値２５０に置き換えられる。なお、図７の場合、図６の場合と比較すると、図２１の（ｂ）および図２２の（ｂ）から分かるように、輝度値２００〜２２０については変換されない。より詳細には、図７において、裏写り画像である画像２７ｃの輝度は２２０である。画像２７ｃの輝度は閾値２２０以上であるため、変換値２５０に置き換えられる。図７の（ｂ）は、処理対象領域の輝度を置き換えた後のプレビュー画像Ｇ２２を示している。図７の（ｂ）では、画像２７ｃは除去されている。
【００９９】
再現画像出力部４７は、画像補正部４６から出力された裏写り除去処理後のプレビュー画像を、ＪＰＧあるいはビットマップ等の画像に変換して出力する。
【０１００】
［１−４．効果等］
本実施の形態のイメージスキャナ装置では、図６の（ｂ）および図７の（ｂ）から分かるように、原稿の光の透過度が異なる場合でも、裏写り画像は適切に除去される。さらに、本実施の形態のイメージスキャナ装置では、光透過率を正確に求める必要がなく、処理負荷の増大を抑制できる。
【０１０１】
ここで、図９および図１０は、従来の方法を用いた場合における裏写り除去処理の前後のプレビュー画像の一例を示す図である。図９は、図６に示す原稿と同じ原稿を用いた場合を示している。図１０は、図７に示す原稿と同じ原稿を用いた場合を示している。また、図９および図１０では、閾値は、２２０に固定されている場合を示している。
【０１０２】
図９の（ｂ）のプレビュー画像Ｇ１２では、閾値が２２０に固定されているため、閾値２２０以上の輝度２４０を有する画像２６ｄは除去されるが、閾値２２０よりも小さい輝度２２０の画像２６ｃは除去されない。これに対し、本実施の形態における図６の（ｂ）のプレビュー画像Ｇ１２では、画像２６ｃが除去されている。
【０１０３】
また、図１０の（ｂ）のプレビュー画像Ｇ２２では、画像２７ｃは除去できるが、図１０の（ｂ）の画像２７ａと図７の（ｂ）の画像２７ａとを比較すると、本実施の形態における図７の（ｂ）の画像２７ａの方が、白抜き部分が小さく、画像の再現性が向上されている。
【０１０４】
本実施の形態のイメージスキャナ装置では、原稿の光の透過度に自動的に適応するので、裏写りを良好に除去することができ、且つ、補正の必要のない領域に対する補正を低減して画像の再現性が低下するのを抑えることが可能になる。
【０１０５】
（実施の形態２）
実施の形態２では、パターン部材が蓋部ではなく、裏当てシートである場合を例に説明する。
【０１０６】
本実施の形態にかかるイメージスキャナ装置は、実施の形態１と同様に、複合機に設けられた複合機である場合を例に説明する。当該複合機は、実施の形態１の複合機と同様に、本実施の形態のイメージスキャナ装置に加え、プリンタ機能等を備えている。
【０１０７】
当該複合機は、原稿台に載置された原稿をスキャンすることによってスキャン画像を取得する機能、取得された前記スキャン画像を印刷（つまり前記原稿をコピー）する機能を有している。
【０１０８】
［２−１．イメージスキャナ装置の構成］
図１１は、そのような複合機の外観の一例を示す斜視図である。
【０１０９】
図１１に示される複合機１Ｂは、イメージスキャナ装置１１０とプリンタ１２０とを１つの筐体１３０内に備えている。複合機１Ｂは、さらに、原稿が載置される原稿台１３１と、原稿台１３１を覆うための開閉自在な蓋１３２と、スイッチおよび表示器を配した操作パネル１３３と、を備えている。
【０１１０】
原稿台１３１には、対象原稿１４０と裏当てシート１４１とを重ねて載置することができる。イメージスキャナ装置１１０は、対象原稿１４０を、裏当てシート１４１が重ねられた状態で、スキャンすることによってスキャン画像を取得する。また、イメージスキャナ装置１１０は、対象原稿１４０および裏当てシート１４１の何れか一方だけをスキャンすることによって、画像を取得することもできる。
【０１１１】
プリンタ１２０にて印刷が行われた用紙１５０は、筐体１３０から排出される。
【０１１２】
図１２は、対象原稿１４０の一例を示す図である。図１２に示される対象原稿１４０は、表イメージと裏イメージとが表されたシート状の両面原稿であり、前述した課題である裏写りが生じる原稿である。
【０１１３】
図１３は、裏当てシート１４１の一例を示す図である。裏当てシート１４１は、紙または樹脂製のシートであり、参照パターンが表されている。当該参照パターンは、スキャン画像に重畳した状態で容易に検出できるように、対象原稿に含まれないパターンであってもよく、また、自己相関性を有するパターンであってもよい。図１３に示される裏当てシート１４１には、一例として、全面に波状の参照パターンが表されている。
【０１１４】
裏当てシート１４１は、複合機１Ｂおよび対象原稿１４０の何れにも固定されておらず、複合機１Ｂおよび対象原稿１４０の何れからも自在に分離できる。これにより、イメージスキャナ装置１１０には、背景技術の欄で説明したイメージスキャナ装置とは異なり、原稿をスキャンしたときにスキャン画像に重畳され得るパターンを設ける必要がない。例えば、蓋１３２の裏側の原稿を押える面が完全に無地であってもよい。
【０１１５】
図１４は、複合機１Ｂの機能的な構成の一例を示すブロック図である。
【０１１６】
図１４に示されるように、複合機１Ｂにおいて、イメージスキャナ装置１１０は、画像取得部１１１、参照データ記憶部１１２、制御部１１３、を有し、プリンタ１２０は、画像形成部１２１を有している。
【０１１７】
画像取得部１１１は、制御部１１３による制御下で、原稿をスキャンすることによってスキャン画像を取得するハードウェアである。
【０１１８】
画像形成部１２１は、制御部１１３による制御下で、画像を印刷媒体に印刷するハードウェアである。
【０１１９】
参照データ記憶部１１２は、裏当てシート１４１に表された参照パターンを表す参照データを記憶している記憶部である。参照データ記憶部１１２は、例えば、フラッシュメモリまたはハードディスク装置で構成されてもよい。なお、参照データは、参照パターンの画像であっても構わないし、参照パターンの形状および大きさ、参照パターンが現れる位置（推定位置）等であっても構わない。本実施の形態では、パターン部材が裏当てシート１４１であり、実施の形態１のように固定されていないが、裏当てシート１４１の角部を原稿の角部と供にスキャン基準位置に合わせるので、参照パターンが現れる位置を相当な精度で推定可能である。
【０１２０】
また、参照データ記憶部１１２には、複数の参照パターンが記憶されていても構わない。スキャン対象の画像に合わせた参照パターンを選択することにより、画像の再現性を向上させることが可能である。あるいは、複数の参照パターンを用いて複数のプレビュー画像を生成し、再現性の高い画像をユーザに選択させるように構成するのも好適である。
【０１２１】
制御部１１３は、画像取得部１１１および画像形成部１２１を制御するとともに、画像取得部１１１で取得されたスキャン画像を処理する機能部である。
【０１２２】
制御部１１３は、さらに、裏写りを除去する処理を行う画像処理部としての機能を有している。制御部１１３は、裏写りの除去に関する構成として、パターン検出部２３１、裏写り除去部２３２、パターン登録部２３３、および裏当てシート作成部２３４を有している。制御部１１３は、例えば、プロセッサで構成され、前記プロセッサが所定のプログラムを実行することで発揮されるソフトウェア機能であってもよい。
【０１２３】
パターン検出部２３１は、参照データ記憶部１１２から前記参照データを参照し、前記参照データによって表される前記参照パターンが含まれる前記スキャン画像の部分である特定領域を検出する。
【０１２４】
裏写り除去部２３２は、前記特定領域の最も暗い部分の明度（輝度値の最小値）を用いた閾値比較に基づいて前記スキャン画像に含まれる裏写りを除去し、裏写りが除去された補正スキャン画像を表すスキャン画像データを出力する。
【０１２５】
パターン登録部２３３は、画像取得部１１１にて、裏当てシート１４１をスキャンすることによって取得された参照画像を表すデータを、参照データとして参照データ記憶部１１２に登録する。
【０１２６】
裏当てシート作成部２３４は、参照データ記憶部１１２に記憶されている参照データによって表される参照パターンを、プリンタ１２０で印刷する。
【０１２７】
［２−２．裏写り除去の手順］
次に、上記のように構成されたイメージスキャナ装置１１０の動作について説明する。
【０１２８】
図１５は、実施の形態２に係るイメージスキャナ装置１１０の動作の一例を示すフローチャートである。
【０１２９】
画像取得部１１１は、対象原稿１４０を、裏当てシート１４１の前記参照パターンが表された面が対象原稿１４０の背面に向けて重ねられた状態で、スキャンすることによってスキャン画像を取得する（Ｓ２１）。
【０１３０】
図１６は、取得されるスキャン画像の一例を表す図である。図１６に示されるスキャン画像１６０は、対象原稿１４０の表面のイメージに、対象原稿１４０の裏面のイメージである裏写りと、裏当てシート１４１の前記参照パターンとが重畳された画像である。
【０１３１】
パターン検出部２３１は、参照データ記憶部１１２から前記参照データを参照し（Ｓ２２）、前記参照データによって表される前記参照パターンが含まれる前記スキャン画像の部分である特定領域を検出する（Ｓ２３）。図１６の例では、スキャン画像１６０から、特定領域１６１が検出される。
【０１３２】
特定領域が見つかった場合（Ｓ２４でＹＥＳ）、裏写り除去部２３２は、前記特定領域の最も暗い部分の明度を用いた閾値比較により、前記スキャン画像に含まれる裏写りを除去する（Ｓ２９）。裏写り除去部２３２は、例えば、実施の形態１と同様に、前記スキャン画像の中で、前記特定領域の最も暗い部分と同じかより明るい部分の明度（輝度値）を、一様な明度に上げることにより、前記裏写りと前記参照パターンの両方を除去してもよい。
【０１３３】
ステップＳ２９では、前記特定領域の最も暗い部分の明度を閾値比較に用いるので、対象原稿１４０の光透過率を正確に求めることなく、裏写りを適切に除去することができる。また、前記特定領域の明るい部分は対象原稿１４０の地色に対応しているので、裏写りの除去処理では、対象原稿１４０の地色の除去処理も同時にかつ自動的に行うことができる。
【０１３４】
図１７は、裏写りが除去された補正スキャン画像の一例を示す図である。図１７に示される補正スキャン画像１６３では、スキャン画像１６０の特定領域１６１の最も暗い部分１６２と同じかより明るい部分の明度を上げることによって、前記裏写りと前記参照パターンの両方が除去されている。
【０１３５】
なお、対象原稿が厚手の原稿である場合、裏当てシートの参照パターンが対象原稿を透過せず、特定領域が見つからないことがあり得る。そのような場合は、裏写りも生じていないと考えられる。
【０１３６】
そこで、特定領域が見つからない場合（Ｓ２４でＮＯ）、ステップＳ２９の画像処理を行わず、ステップＳ２１で取得されたスキャン画像をスキャン結果として用いる。
【０１３７】
また、対象原稿が、薄手の片面原稿である場合、裏当てシートを重ねずに、対象原稿だけをスキャンしてスキャン画像を取得することができる。この場合も、特定領域が見つからないので、ステップＳ２９の画像処理は行われず、ステップＳ２１で取得されたスキャン画像がスキャン結果として用いられる。
【０１３８】
［２−３．効果等］
本実施の形態のイメージスキャナ装置１１０では、裏当てシート１４１がイメージスキャナ装置１１０および対象原稿１４０の何れからも自在に分離できる。そこで、対象原稿１４０が片面原稿である場合には、裏当てシート１４１を重ねずに対象原稿１４０だけをスキャンすることによって、画像処理による画質への影響がないスキャン結果を得ることができる。
【０１３９】
以上説明したように、実施の形態２に係るイメージスキャナ装置１１０によれば、対象原稿１４０を、裏当てシート１４１が重ねられた状態でスキャンすることによって、スキャン画像に裏写りを除去するための参照パターンを重畳することができるので、イメージスキャナ装置１１０の本体に、当該参照パターンを固定的に設ける必要がなくなる。
【０１４０】
その結果、イメージスキャナ装置１１０のデザイン性や製品展開の適応性に関する制限が緩和されるので、裏写りを除去するために適したイメージスキャナ装置が得られる。
【０１４１】
（実施の形態３）
実施の形態３では、裏当てシート１４１が対象原稿１４０からはみ出す場合に適したイメージスキャナ装置１１０の動作について説明する。
【０１４２】
図１８は、実施の形態３に係るイメージスキャナ装置１１０の動作の一例を示すフローチャートである。図１８のフローチャートでは、図１５のフローチャートと比べて、はみ出し部分に関する処理としてステップＳ２５〜Ｓ２８が追加される。
【０１４３】
はみ出し部分とは、裏当てシート１４１が対象原稿１４０からはみ出す部分を言い、スキャン画像の当該はみ出し部分では、裏当てシート１４１の参照パターンは、対象原稿１４０を透過していない本来の明度で表される。
【０１４４】
実施の形態３に係る動作では、ステップＳ２１で、そのようなはみ出し部分があるスキャン画像が取得されるものとする。
【０１４５】
図１９は、取得されるスキャン画像の一例を表す図である。図１９に示されるスキャン画像１７０では、はみ出し部分１７３において、対象原稿１４０を透過していない参照パターンが表されている。
【０１４６】
パターン検出部２３１は、参照パターンが含まれる前記スキャン画像の部分である特定領域を検出する（Ｓ２３）。スキャン画像１７０の例では、特定領域１７１とはみ出し部分１７３とを合わせた部分が、初期の特定領域として検出される。
【０１４７】
初期の特定領域が見つかった場合（Ｓ２４でＹＥＳ）、パターン検出部２３１は、当該初期の特定領域の中からはみ出し部分を検出する（Ｓ２５）。パターン検出部２３１は、例えば、当該初期の特定領域の中で暗い部分の明度が所定の閾値よりも低い参照パターンが表されている部分を、はみ出し部分として、検出してもよい。また、パターン検出部２３１は、検出された部分に外挿される矩形領域を、はみ出し部分として検出してもよい。スキャン画像１７０の例では、暗い部分１７４の明度が所定の閾値よりも低い参照パターンが表されている部分が、はみ出し部分１７３として検出される。
【０１４８】
はみ出し部分が見つかった場合（Ｓ２６でＹＥＳ）、パターン検出部２３１は、はみ出し部分１７３を初期の特定領域から除外し（Ｓ２７）、裏写り除去部２３２は、はみ出し部分をスキャン画像から削除する（Ｓ２８）。裏写り除去部２３２は、はみ出し部分が除外された後の特定領域の中で最も暗い部分の明度を用いた閾値比較により、前記スキャン画像に含まれる裏写りを除去する（Ｓ２９）。スキャン画像１７０の例では、はみ出し部分１７３が除外された特定領域１７１の中で最も暗い部分１７２の明度が、閾値比較に用いられる。
【０１４９】
図２０は、裏写りが除去され、かつ、はみ出し部分が削除された補正スキャン画像の一例を示す図である。図２０に示される補正スキャン画像１７５では、スキャン画像１７０のはみ出し部分１７３が除外された特定領域１７１の最も暗い部分１７２と同じかより明るい部分の明度を上げることによって、前記裏写りと前記参照パターンの両方が除去され、さらに、はみ出し部分１７３が削除されている。
【０１５０】
以上説明したように、実施の形態３に係るイメージスキャナ装置１１０によれば、例えば、裏当てシート１４１が対象原稿１４０よりも大きい場合の裏写り除去処理において、裏当てシート１４１が対象原稿１４０からはみ出すはみ出し部分１７３を適切に処理することができる。
【０１５１】
（実施の形態４）
実施の形態４では、イメージスキャナ装置１１０において、実施の形態２または３で用いる裏当てシートに表わされる参照パターンの登録、および裏当てシートの印刷を行う動作について説明する。
【０１５２】
ユーザは、任意のイメージが描かれたシートを、裏当てシート１４１として用意する。ユーザによって用意される裏当てシート１４１は、例えば、ユーザ自身が参照パターンを描いた紙であってもよい。
【０１５３】
イメージスキャナ装置１１０において、画像取得部１１１は、ユーザによって用意された裏当てシート１４１をスキャンすることによって参照画像を取得し、パターン登録部２３３は、取得された当該参照画像を表すデータを、参照データとして参照データ記憶部１１２に登録する。
【０１５４】
このように構成されるイメージスキャナ装置１１０によれば、参照パターンとして任意のイメージを登録できるので、例えば、対象原稿に含まれない参照パターンが表された裏当てシート１４１を都度利用するなどして、裏写りの除去処理を確実に実行することができる。
【０１５５】
また、イメージスキャナ装置１１０において、裏当てシート作成部２３４は、参照データ記憶部１１２に記憶されている参照データによって表される参照パターンを、プリンタ１２０で印刷する。
【０１５６】
このように構成されるイメージスキャナ装置１１０によれば、参照パターンが表された裏当てシートを随時印刷できるので、例えば、裏当てシートの逸失、汚損などの場合に、直ちに新しい裏当てシートを作成することができる。
【０１５７】
（他の実施の形態）
以上、本発明の実施の形態に係るイメージスキャナ装置について説明したが、本発明は、この実施の形態に限定されるものではない。
【０１５８】
（１）例えば、上記実施の形態１では、プレビュー画像に対して裏写り除去処理を行う場合について説明したが、プレビュー画像ではなく、ビットマップ形式あるいはＪＰＥＧ形式等の出力画像に対して裏写り除去処理を実行しても構わない。
【０１５９】
この場合の第一観測パターン２５ｂおよび第二観測パターン２５ｗの大きさは、イメージスキャナ装置のスキャン方式に応じて設定される。
【０１６０】
例えば、ビットマップ形式あるいはＧＩＦ形式等の画像を出力するイメージスキャナ装置では、１画素であっても構わない。
【０１６１】
また、例えば、ビットマップ形式あるいはＧＩＦ形式だけでなく、ＪＰＧ形式等、周囲の画素の影響がある圧縮ファイルを出力するイメージスキャナ装置では、縦横それぞれ５画素程度の大きさであっても構わない。
【０１６２】
（２）上記実施の形態１では、観測パターン２５は、黒色の第一観測パターン２５ｂと白色の第二観測パターン２５ｗとしたが、これに限るものではない。第一観測パターン２５ｂおよび第二観測パターン２５ｗの輝度は、他の輝度であっても構わない。
【０１６３】
また、第二観測パターン２５ｗは、押え部材２１が第二観測パターン２５ｗと同じ色になる場合は、設けない構成にしてもよい。例えば、本実施の形態では、押え部材２１および第二観測パターン２５ｗの両方が白色であるため、第二観測パターン２５ｗを設けない構成にしてもよい。
【０１６４】
（３）上記実施の形態１では、第一透過パターンの輝度をそのまま閾値として設定したが、これに限るものではない。第一透過パターンの輝度にマージンを持たせた値など、他の値に設定しても構わない。
【０１６５】
また、上記実施の形態では、第二透過パターンの輝度をそのまま変換値として設定したが、これに限るものではない。白色に対応する輝度を予め固定的に設定しても構わないし、マージンを持たせた値に設定しても構わない。
【０１６６】
（４）上記実施の形態１〜４では、イメージスキャナ装置が複合機に備えられている場合を例に説明したが、これに限るものではない。イメージスキャナ装置単独で構成されていても良いし、複写機（コピー機）等、他の装置に搭載されていても良い。
【０１６７】
（５）なお、画像処理部が、コンピュータがプログラムを実行することにより実現される場合、当該プログラムを記憶したＩＣカードまたは単体のモジュールを、イメージスキャナ装置あるいはイメージスキャナ装置を搭載した機器に着脱可能に構成しても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１６８】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１６９】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１７０】
また、本発明は、上記コンピュータプログラムまたは上記デジタル信号を、電気通信回線、無線または有線通信回線、インターネットを代表とするネットワーク、データ放送等を経由して伝送するものとしても良い。
【０１７１】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１７２】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【産業上の利用可能性】
【０１７３】
上記実施の形態のイメージスキャナ装置は、複写機、スキャナ、あるいは、これらの機能を複数備えた複合機等に用いられるイメージスキャナ装置として有用である。
【符号の説明】
【０１７４】
１Ａ、１Ｂ  複合機
１０    本体部
１１    ガラス台
１２    ガイド部
１３    センサ部
２０    リッド
２１    押え部材
２４ａ、２４ｂ、２４ｃ  パターン
２５    観測パターン
２５ｂ  第一観測パターン
２５ｗ  第二観測パターン
２６ａ、２６ｃ、２６ｄ、２７ａ、２７ｃ、２８ａ  画像
２６ｂ、２７ｂ、２８ｂ  第一透過パターン
２６ｗ、２７ｗ、２８ｗ  第二透過パターン
３０    ヒンジ
４０    画像処理部
４１    スキャン結果取得部
４２    プレビュー画像生成部
４３    輝度取得部
４４    閾値設定部
４５    変換値設定部
４６    画像補正部
４７    再現画像出力部
１１０  イメージスキャナ装置
１１１  画像取得部
１１２  参照データ記憶部
１１３  制御部
２３１  パターン検出部
２３２  裏写り除去部
２３３  パターン登録部
２３４  裏当てシート作成部
１２０  プリンタ
１２１  画像形成部
１３０  筐体
１３１  原稿台
１３２  蓋
１３３  操作パネル
１４０  対象原稿
１４１  裏当てシート
１５０  用紙
１６０、１７０    スキャン画像
１６１、１７１    特定領域
１６２、１７２    最も暗い部分
１７３    はみ出し部分
１７４    暗い部分
１６３、１７５    補正スキャン画像
Ｇ０１、Ｇ０２  画像
Ｇ１１、Ｇ１２、Ｇ２１、Ｇ２２、Ｇ３１  プレビュー画像
Ｐ１０、Ｐ１１、Ｐ１２、Ｐ１３、Ｐ２０、Ｐ２１、Ｐ２２、Ｐ２３  頂点
【図１】
2015181218.tif 000003
【図２】
2015181218.tif 000004
【図３】
2015181218.tif 000005
【図４】
2015181218.tif 000006
【図１１】
2015181218.tif 000007
【図１２】
2015181218.tif 000008
【図１３】
2015181218.tif 000009
【図１４】
2015181218.tif 000010
【図１５】
2015181218.tif 000011
【図１６】
2015181218.tif 000012
【図１７】
2015181218.tif 000013
【図１８】
2015181218.tif 000014
【図１９】
2015181218.tif 000015
【図２０】
2015181218.tif 000016
【図２１】
2015181218.tif 000017
【図２２】
2015181218.tif 000018
【図５】
2015181218.tif 000019
【図６】
2015181218.tif 000020
【図７】
2015181218.tif 000021
【図８】
2015181218.tif 000022
【図９】
2015181218.tif 000023
【図１０】
2015181218.tif 000024